(57)【要約】【課題】ノズルから吹き出す加圧空気の風量に対して誘引空気の風量を高めることが可能な空気排出装置を提供する。【解決手段】空気排出装置（レンジフード）１０は、筐体１１と、第一ノズル１４と、複数の第二ノズル１５と、吸込口１２と、排出口１３と、を備える。筐体１１は、吸込空間１６を有する。第一ノズル１４および複数の第二ノズル１５は、吸込空間１６内で第一方向１７に加圧空気を吹き出す。吸込口１２は、外部から吸込空間１６内に空気を吸い込む。排出口１３は、加圧空気と吸込空間１６に吸い込まれた空気とを排出する。そして、吸込口１２は、第一ノズル１４および複数の第二ノズル１５から吹き出される加圧空気に誘引されて外部から吸込空間内に誘引空気を吸い込む。第二ノズル１５は、第一方向１７に垂直な面への投影図において、第一ノズル１４の周囲に少なくとも配置されている。【選択図】図１
2020197189.tif 000002
【特許請求の範囲】
【請求項１】
吸込空間を有する筐体と、
前記吸込空間内で第一方向に加圧空気を吹き出す第一ノズルおよび複数の第二ノズルと、
外部から前記吸込空間内に空気を吸い込む吸込口と、
前記加圧空気と前記吸込空間に吸い込まれた空気とを排出する排出口と、を備え、
前記吸込口は、前記第一ノズルおよび複数の前記第二ノズルから吹き出される前記加圧空気に誘引されて外部から前記吸込空間内に誘引空気を吸い込み、
前記第二ノズルは、前記第一方向に垂直な面への投影図において、前記第一ノズルの周囲に少なくとも配置されていることを特徴とする空気排出装置。
【請求項２】
前記第一ノズルおよび前記第二ノズルは、前記加圧空気の吹出径が同じであり、隣接するノズルとの間隔が所定間隔となるように配置されていることを特徴とする請求項１に記載の空気排出装置。
【発明の詳細な説明】
【技術分野】
【０００１】
本発明は、外部から空気を吸い込んで排出する空気排出装置に関する。
【背景技術】
【０００２】
建物の換気を行う換気装置には、ファンを用いて空気を吸い込み、排出するものが多く存在する。しかしながら、この種の換気装置は、吸い込む空気に含まれる油分等によってファンが汚れるため、定期的なメンテナンス（清掃等）が必要である。そこで、ファンを用いずに、ノズルから加圧空気を噴射し、噴射された加圧空気が周辺の空気を誘引することによって、外部から空気を吸い込んで排出する換気装置が知られている。
【０００３】
例えば、特許文献１に記載の換気装置は、内部に絞り部を有する誘引ガイドと、この誘引ガイド内の絞り部近傍に設けられたノズルとからなる。この換気装置では、前記ノズルから絞り部に向けて空気を噴射し、一方側開口部から誘引ガイド外の空気を誘引ガイド内に誘引し、他方側開口部より吹き出すエジェクターを形成することで、誘引作用によって居室内の空気を排出するという構成をとっている。
【先行技術文献】
【特許文献】
【０００４】
【特許文献１】実願昭５７−１４０３０７号（実開昭５９−４５４２８号）のマイクロフィルム
【発明の概要】
【発明が解決しようとする課題】
【０００５】
しかしながら、特許文献１に記載の換気装置においては、ノズル近傍と誘引ガイドや絞り部とで囲まれる領域において、本来の排出する空気の流れとは逆向きの流れが発生していた。これにより、ノズルから吹き出す流量に対して、誘引作用による十分な排出流量を確保できないという課題があった。
【０００６】
本発明は、上記課題を解決するためになされたものであり、ノズルから吹き出す加圧空気の風量に対して誘引空気の風量を高めることが可能な空気排出装置を提供する。
【課題を解決するための手段】
【０００７】
この目的を達成するために、本発明の空気排出装置は、筐体と、第一ノズルと、複数の第二ノズルと、吸込口と、排出口とを備える。筐体は、吸込空間を有する。第一ノズルおよび複数の第二ノズルは、吸込空間内で第一方向に加圧空気を吹き出す。吸込口は、外部から吸込空間内に空気を吸い込む。排出口は、加圧空気と吸込空間に吸い込まれた空気とを排出する。そして、吸込口は、第一ノズルおよび複数の第二ノズルから吹き出される加圧空気に誘引されて外部から吸込空間内に誘引空気を吸い込む。第二ノズルは、第一方向に垂直な面への投影図において、第一ノズルの周囲に少なくとも配置されている。
【発明の効果】
【０００８】
本発明によれば、ノズルから吹き出す加圧空気の風量に対して誘引空気の風量を高めることが可能な空気排出装置を提供できる。
【図面の簡単な説明】
【０００９】
【図１】図１（ａ）は、本発明の第一実施形態に係るレンジフードの平面側から見た斜視図であり、図１（ｂ）は、同レンジフードの底面側から見た斜視図であり、図１（ｃ）は、同レンジフードの正面図である。
【図２】図２（ａ−１）は、加圧空気を吹き出すノズルとして第一ノズルおよび第二ノズルとを設けた同レンジフードの正面図であり、図２（ａ−２）は、同レンジフードにおいて、第一ノズルおよび第二ノズルから加圧空気を吹き出した場合の吸込空間内の誘引気流を示したシミュレーション結果であり、図２（ａ−３）は、図２（ａ−２）の破線で囲んだ箇所の拡大図であり、図２（ｂ−１）は、加圧空気を吹き出すノズルとして第一ノズルのみを設けた比較例に係るレンジフードの正面図であり、図２（ｂ−２）は、同レンジフードにおいて、第一ノズルから加圧空気を吹き出した場合の吸込空間内の誘引気流を示したシミュレーション結果であり、図２（ｂ−３）は、図２（ｂ−２）の破線で囲んだ箇所の拡大図である。
【図３】図３（ａ）は、本発明の第二実施形態に係る集塵装置の斜視図であり、図３（ｂ）は、壁面を取り外した状態での同集塵装置の斜視図であり、図３（ｃ）は、壁面を取り外した状態であって、排出ダクトを取り付けた状態での同集塵装置の斜視図である。
【発明を実施するための形態】
【００１０】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置および接続形態などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１１】
（第一実施形態）
まず、図１を参照して、本発明の空気排出装置の第一実施形態に係るレンジフード１０の概略構成について説明する。図１（ａ）は、そのレンジフード１０の平面側から見た斜視図であり、図１（ｂ）は、レンジフード１０の底面側から見た斜視図であり、図１（ｃ）は、レンジフード１０の正面図である。
【００１２】
なお、以下の説明において、排出口１３がある面をレンジフード１０の正面とし、吸込口１２がある面をレンジフード１０の底面として説明する。また、図１（ａ）および図１（ｂ）において、第一ノズル１４を視認可能に排出口１３を短く図示しているが、排出口１３は、第一ノズル１４における加圧空気の吹き出し方向である第一方向１７に対して図示したものよりも長く筒状に形成されている（図２参照）。
【００１３】
レンジフード１０は、建築構造物においてキッチンの加熱調理器具の上方に設置され、キッチンの空気を吸い込み、吸い込んだ空気を建築構造物の屋外に排出することで、加熱調理により生成した油煙、蒸気、臭いを効率的にキッチンから排出するものである。
【００１４】
レンジフード１０は、筐体１１と、吸込口１２と、誘引ガイド１８と、排出口１３と、第一ノズル１４と、複数の第二ノズル１５と、を少なくとも含んで構成されている。筐体１１の内部は空洞となっており、その空洞によって吸込空間１６が構成される。
【００１５】
筐体１１には、その底面に円形状の吸込口１２が設けられている。吸込口１２は、外部（即ち、キッチン）から吸込空間１６に空気を吸い込みながら、加熱調理により生成した油煙、蒸気、臭い等を吸込空間１６に取り込み可能な開口である。
【００１６】
なお、図示はしていないが、吸込口１２には、その吸込口１２を覆うようにして化粧板が取り付けられている。外部（キッチン）の空気は、この化粧板と吸込口１２との間に形成された隙間から吸込口１２へと吸い込まれ、吸込口２１を通って筐体１１内の吸込空間
１６に取り込まれる。この化粧板の存在により、キッチンにいる者からレンジフード１０の筐体１１内部（吸込空間１６）が視認できないようになっている。そして、化粧板のキッチン側（キッチンから見える側）に所定の意匠を施すことによって、レンジフード１０の美観性を向上させている。
【００１７】
筐体１１の正面には、その略中央部に排出口１３が設けられており、筐体１１の平面、底面、右側面および左側面の各正面側から排出口１３にかけて誘引ガイド１８が形成されている。排出口１３は、筐体１１の正面に対して垂直な方向である第一方向１７に、所定の長さを有した円筒形状をしており、排出口１３の内部に、第一ノズル１４と複数の第二ノズル１５とが配設されている。
【００１８】
第一ノズル１４と第二ノズル１５とは、建築構造物の屋外に設置されたコンプレッサ（図示せず）により生成された加圧空気（圧縮空気）がそれぞれに供給され、吸込空間１６内で第一方向１７に加圧空気を吹き出すように構成されている。第一ノズル１４は、第一方向１７に垂直な面（即ち、レンジフード１０の正面）への投影図において、排出口１３の中心に配置されている。なお、レンジフード１０では、空気を圧縮して０．１〜０．３［ＭＰａ］の高い圧力にしたものを加圧空気として用いている。
【００１９】
また、複数の第二ノズル１５はそれぞれ、当該投影図において、第一ノズル１４の周囲に少なくとも配置されている。
【００２０】
誘引ガイド１８は、吸込口１２より吸込空間１６に取り込まれた空気（誘引空気）を、第一ノズル１４および第二ノズル１５から吹き出される加圧空気によって効率よく排出口１３に向けて誘引するためのガイドである。
【００２１】
排出口１３は、第一ノズル１４および第二ノズル１５から吹き出される加圧空気と、その加圧空気によって誘引された誘引空気とを筐体１１の外部に排出する。この排出口１３には排出ダクト（図示せず）が接続され、排出口１３から排出された加圧空気および誘引空気は、排出ダクトを経由して建築構造物の屋外へと排出される。
【００２２】
次いで、このように構成されたレンジフード１０の動作について説明する。レンジフード１０を動作させるスイッチがオンされると、第一ノズル１４および第二ノズル１５から第一方向１７に加圧空気が吹き出される。この吹き出された加圧空気による高速気流によってその周辺が低圧となり、第一ノズル１４および第二ノズル１５から吹き出される加圧空気に向かって流れ込む誘引気流が発生する。この誘引気流により、吸込空間１６に取り込まれた誘引空気が誘引ガイド１８に沿って排出口１３へと導かれ、第一ノズル１４および第二ノズル１５から吹き出される加圧空気と共に、排出口１３から排出される。
【００２３】
そして、吸込空間１６に取り込まれていた誘引空気が排出口１３へと導かれることで、吸込空間１６が全体として低圧になり、結果として、吸込口１２を介して継続的にキッチン空間から吸込空間１６内に誘引空気を吸い込む気流が生み出される。
【００２４】
レンジフード１０は、この生み出された気流によって、加熱調理により生成した油煙、蒸気、臭いを含む誘引空気を吸込口２１から吸込空間２６へと継続して取り込み続ける。そして、レンジフード１０は、第一ノズル１４および第二ノズル１５から第一方向１７に吹き出される加圧空気の誘引作用によって、誘引ガイド１８に沿って誘引された誘引空気を、加圧空気と共に排出口１３から排出する。これにより、レンジフード１０は、加熱調理により生成した油煙、蒸気、臭いを効率的にキッチンから排出することができる。
【００２５】
次に、図２を参照して、加圧空気を吹き出すノズルとして第一ノズル１４と、第一方向
１７に垂直な面への投影図において第一ノズル１４の周囲に少なくとも配置された第二ノズル１５とを用いた場合の作用および効果について説明する。
【００２６】
図２（ａ−１）は、加圧空気を吹き出すノズルとして第一ノズル１４および第二ノズル１５とを設けた本実施形態に係るレンジフード１０の正面図である。図２（ａ−２）は、図２（ａ−１）に示したレンジフード１０において、第一ノズル１４および第二ノズル１５から加圧空気を吹き出した場合の吸込空間１６内の誘引気流を、レンジフード１０の平面に平行な断面で示したシミュレーション結果である。図２（ａ−３）は、図２（ａ−２）の破線で囲んだ箇所を拡大した図である。
【００２７】
一方、図２（ｂ−１）は、加圧空気を吹き出すノズルとして第一ノズル１１４のみを設けた比較例に係るレンジフード１００の正面図である。図２（ｂ−２）は、図２（ｂ−１）に示したレンジフード１０において、第一ノズル１１４から加圧空気を吹き出した場合の吸込空間１１６内の誘引気流を、レンジフード１００の平面に平行な断面で示したシミュレーション結果である。図２（ｂ−３）は、図２（ｂ−２）の破線で囲んだ箇所を拡大した図である。
【００２８】
ここで、図２（ａ−２）にて結果を示したシミュレーションの条件は、次の通りである。即ち、第一ノズル１４（１本）および第二ノズル１５の総数は２１本であり、それぞれのノズルの吹出径は２ｍｍである。これにより、各ノズルより加圧空気が吹き出される吹出合計面積は、（２／２ｍｍ）２×３．１４×２１本＝約６６ｍｍ２であり、吹出合計風量が０．７８ｍ３／分となるようにしてある。なお、図２（ａ−２）のシミュレーションにおいて、各ノズルの間隔は３ｃｍ、吹出風速は２００ｍ／秒に設定してある。
【００２９】
一方、図２（ｂ−２）にて結果を示したシミュレーションの条件は、次の通りである。即ち、第一ノズル１１４の吹出径は９．１６５ｍｍである。これにより、第一ノズル１１４の１本より加圧空気が吹き出される吹出面積は、（９．１６５／２ｍｍ）２×３．１４＝約６６ｍｍ２であり、吹出風量が０．７９ｍ３／分となるようにしてある。つまり、図２（ｂ−２）のシミュレーションにおいて、その吹出面積および吹出風量が、図２（ａ−２）のシミュレーションと略同一となるようにしてある。なお、図２（ｂ−２）のシミュレーションにおいても、吹出風速は２００ｍ／秒に設定してある。
【００３０】
以上の条件でシミュレーションした結果、第一ノズル１４および第二ノズル１５から加圧空気を吹き出す本実施形態に係るレンジフード１０は、排出口１３から排出される排気風量が１０．４ｍ３／分であった。一方、第一ノズル１１４のみから加圧空気を吹き出す比較例に係るレンジフード１００は、排出口１１３から排出される排気風量が８．８ｍ３／分であった。このように、第一ノズル１４および第二ノズル１５から加圧空気を吹き出す方が、第一ノズル１１４のみから加圧空気を吹き出す場合よりも、誘引空気の風量を高めることができる。
【００３１】
この原因は、次の通りである。即ち、第一ノズル１１４のみから加圧空気を吹き出す比較例の場合、図２（ｂ−２）および図２（ｂ−３）に示す通り、誘引空気の流れが逆流する領域が発生している。これは、第一ノズル１１４のみから加圧空気を吹き出すと、低圧になりにくくなる領域が形成され、そこに誘引空気が逆流してしまうからである。
【００３２】
一方、第一ノズル１４および第二ノズル１５から加圧空気を吹き出す本実施形態に係るレンジフード１０は、図２（ａ−２）および図２（ａ−３）に示す通り、誘引空気が逆流することなく、排出口１３から排出される。
【００３３】
即ち、第一ノズル１４の周囲に複数の第二ノズル１５を配置することで、第一ノズル１
４と第二ノズル１５との間の領域には、第一ノズル１１４のみの場合に生じ得る非低圧領域が形成されにくくなり、誘引空気の流れが逆流する現象を抑制できる。これにより、本実施形態に係るレンジフード１０は、ノズルから加圧空気を吹き出すことによる誘引作用を増強させることができるので、ノズルから吹き出す加圧空気の風量に対して誘引空気の風量を高めることができる。
【００３４】
第一ノズル１４と第二ノズル１５は、加圧空気の吹出径が同じであり、且つ、隣接するノズルとの間隔（第一ノズル１４と第二ノズル１５との間隔、隣接する第二ノズル１５同士の間隔）が所定間隔となるように配置されている。これにより、各ノズルをランダムに配置する場合に比べて、誘引空気の流れが逆流する現象の抑制効果を偏りなく享受することができる。
【００３５】
（第二実施形態）
次いで、図３を参照して、本発明の空気排出装置の第二実施形態に係る集塵装置２０について説明する。集塵装置２０は、建築構造物に構築され、建築構造物の居室において掃き出された塵埃を回収する集塵システムを構築するものである。集塵システムは、複数の居室のそれぞれに対して設けられた集塵装置２０により塵埃を取り込み、それぞれの集塵装置２０に取り付けられた排出ダクト３３を介して取り込んだ塵埃を回収箱にて回収する。
【００３６】
図３（ａ）は、集塵装置２０の斜視図であり、図３（ｂ）は、壁面９を取り外した状態での集塵装置２０の斜視図であり、図３（ｃ）は、壁面９を取り外した状態であって、集塵装置２０に排出ダクト３３を取り付けた状態での集塵装置２０の斜視図である。
【００３７】
図３に示す通り、集塵装置２０は、壁面９と、第一側壁２３と、第一側壁２３と対向する第二側壁２４と、壁面９と対向する第三側壁（吸込口２１とは反対側の第三側壁）２２と、天板２５と、底板３１とによって、吸込空間２６を有する筐体２０ａが形成される。壁面９は、建築構造物において居室を形成する壁の面である。第一側壁２３は、居室の壁面９側から筐体２０ａを見た場合に右側に設けられた側壁である。筐体２０ａの内部は空洞となっており、その空洞によって吸込空間２６が構成される。なお、第一側壁２３の背面側には、第一ノズル２９および複数の第二ノズル３０に加圧空気を供給するための供給ホース（図示せず）が配置される空間２６ａが構成されている。
【００３８】
筐体２０ａには、壁面９において居室の室内側下端部（居室の床面７と接する位置）に吸込口２１が設けられている。吸込口２１は、第一側壁２３と第二側壁２４との間において、第一側壁２３から第二側壁２４に向かう第一方向３２に沿って延設され、外部（即ち、居室の室内）から吸込空間２６に空気を吸い込みながら、居室において掃き出された床面７の塵埃を吸込空間２６に取り込み可能な開口である。吸込口２１は、所定の開口高さ（例えば、１０ｍｍ）を有する矩形形状の単一の開口であるが、複数の開口によって構成されていてもよい。また、第一方向３２は、第一実施形態における第一方向１７に相当する方向である。
【００３９】
第一側壁２３には、第一ノズル２９および複数の第二ノズル３０が設けられている。第一ノズル２９および第二ノズル３０は、第一側壁２３に向かって見た場合に、吸込口２１よりも上側であって、吸込口２１とは反対側の第三側壁２２よりも吸込口２１側（壁面９側）に設けられた円形領域の中に並んで配置されている。そして、第一ノズル２９および第二ノズル３０は、第一側壁２３から第二側壁２４に向かう第一方向３２に、供給ダクトより供給された加圧空気を吸込空間２６内に吹き出すように構成されている。
【００４０】
第一ノズル２９は、上記した円形領域の中心に配置され、第二ノズル３０は、第一方向
３２に垂直な面（第一側壁２３に平行な面）への投影図において、その円形領域の中で第一ノズル２９の周囲に少なくとも配置される。
【００４１】
そして、第一ノズル２９および第二ノズル３０は、いずれも第一側壁２３から第一方向３２に延びており、先端が第一側壁２３と第二側壁２４との略中間部分に位置している。即ち、吸込口２１よりも上側であって吸込口２１に近い側において、第一側壁２３と第二側壁２４との略中間部分から第一ノズル２９および第二ノズル３０より加圧空気が吹き出される。
【００４２】
天板２５には、第一ノズル２９および第二ノズル３０へ加圧空気を供給するための供給ダクト（図示せず）を通す孔２７が設けられている。供給ダクトは、孔２７を通って第一側壁２３において第一ノズル２９および第二ノズル３０と接続される。一方、供給ダクトには、第一側壁２３との反対側において、建築構造物の屋外に設置されたコンプレッサが接続されており、コンプレッサにて生成された加圧空気が供給ダクトにより送られる。これにより、第一ノズル２９および第二ノズル３０には、供給ダクトから送られた加圧空気が供給され、先端から加圧空気が吹き出される。
【００４３】
集塵装置２０の第二側壁２４には、排出口２８が形成されている。排出口２８は、第一ノズル２９および第二ノズル３０より吹き出された加圧空気と、吸込口２１より吸込空間２６に吸い込まれた空気と共に、吸込空間２６に取り込まれた塵埃を集塵装置２０から排出するための口である。排出口２８には、排出ダクト３３が取り付けられており、排出口２８から排出された塵埃は、加圧空気および吸込口２１より吸込空間２６に吸い込まれた誘引空気にのって、排出ダクト３３を経由して回収箱へ運ばれる。
【００４４】
次いで、このように構成された集塵装置２０の動作について説明する。集塵装置２０を動作させるスイッチがオンされると、第一ノズル２９および第二ノズル３０から第一方向３２に加圧空気が吹き出される。第一ノズル２９および第二ノズル３０から加圧空気が吹き出されると、吹き出された加圧空気による高速気流によってその周辺が低圧となり、周囲の空気が第一ノズル２９および第二ノズル３０から吹き出される加圧空気に向かって流れ込む誘引気流が発生する。この誘引気流により、吸込空間２６に取り込まれた誘引空気が排出口２８へと導かれ、第一ノズル２９および第二ノズル３０から吹き出される加圧空気と共に、排出口２８から排出される。
【００４５】
そして、吸込空間２６に取り込まれていた誘引空気が排出口２８へと導かれることで、吸込空間２６が全体として低圧になり、結果として、吸込口２１を介して、居室の室内から吸込空間２６内に誘引空気を吸い込む気流が生み出される。
【００４６】
集塵装置２０は、この生み出された気流によって、居室の床面７において掃き出され、吸込口２１付近に集められた塵埃を、吸込口２１から吸込空間２６へと継続的に取り込むことができる。そして、集塵装置２０は、第一ノズル２９および第二ノズル３０から第一方向３２に吹き出される加圧空気の誘引作用によって誘引された誘引空気を、加圧空気と共に排出口２８から排出する。これにより、集塵装置２０は、塵埃を効率的に居室から排出することができる。
【００４７】
このように、集塵装置２０は、加圧空気を吹き出すだけで、居室から塵埃を取り込み、集めることができ、従来の集塵装置に用いられていた送風機を不要とすることができる。よって、集塵装置２０は、送風機による音漏れの心配がなく、騒音を抑制できる。また、集塵装置２０は、送風機を用いないため、フィルタも不要とすることができる。よって、集塵装置２０は、フィルタの目詰まりによる性能劣化が生じることがなく、安定して集塵性能を維持することができる。
【００４８】
そして、本実施形態に係る集塵装置２０も、第一実施形態に係るレンジフード１０と同様に、第一ノズル２９の周囲に複数の第二ノズル３０を配置することで、第一ノズル２９と第二ノズル３０との間の領域には、第一ノズル２９のみの場合に生じ得る非低圧領域が形成されにくくなり、誘引空気の流れが逆流する現象を抑制できる。これにより、本実施形態に係る集塵装置２０は、ノズルから加圧空気を吹き出すことによる誘引作用を増強させることができるので、ノズルから吹き出す加圧空気の風量に対して誘引空気の風量を高めることができる。
【００４９】
ここで、仮に第一ノズル２９および第二ノズル３０において、加圧空気が吹き出される先端が第二側壁２４から離れて第一側壁２３寄りに設けられている場合、加圧空気による高速気流が第二側壁２４付近で弱まるために、第二側壁２４周辺で非低圧領域が発生し、発生する誘引気流も弱く、第二側壁２４近くの吸込口２１から塵埃を取り込むことが難しくなる。一方、仮に第一ノズル２９および第二ノズル３０において、加圧空気が吹き出される先端が第一側壁２３から離れて第二側壁２４寄りに設けられている場合、第一側壁２３付近に非低圧領域が発生し、空気が高速気流によって誘引され難くなるため、第一側壁２３近くの吸込口２１から塵埃を取り込むことが難しくなる。
【００５０】
これに対し、本実施形態に係る集塵装置２０は、第一側壁２３と第二側壁２４との略中間部分から第一ノズル２９および第二ノズル３０より加圧空気が吹き出されるように、第一ノズル２９および第二ノズル３０の先端が設けられている。これにより、吸込空間２６に非低圧領域が発生し難くできるので、第一側壁２３付近の空気も第二側壁２４付近の空気も、第一ノズル２９より吹き出される加圧空気による高速気流によって確実に誘引される。よって、集塵装置２０は、吸込口２１全体で、居室の室内から吸込空間２６内に誘引空気を吸い込む気流を生み出すことができ、塵埃をより効率的に取り込むことができる。
【００５１】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部または複数部分を、その実施形態に追加し或いはその実施形態の構成の一部または複数部分と交換等することにより、その実施形態を変形して構成するようにしても良い。また、上記各実施形態で挙げた数値は一例であり、他の数値を採用することは当然可能である。
【００５２】
上記実施形態では、空気排出装置として、レンジフードおよび集塵装置に対して本発明を適用した場合について説明したが、これらに限られるものではなく、換気装置など一の空間から別の空間へ空気を排出する装置であれば、本発明は適用可能である。
【産業上の利用可能性】
【００５３】
本発明に係る空気排出装置は、レンジフード、集塵装置、換気装置といった一の空間から別の空間に空気を排出する空気排出装置に適用可能である。
【符号の説明】
【００５４】
７        床面
９        壁面
１０      レンジフード
１１      筐体
１２      吸込口
１３      排出口
１４      第一ノズル
１５      第二ノズル
１６      吸込空間
１７      第一方向
１８      誘引ガイド
２０      集塵装置
２０ａ    筐体
２１      吸込口
２２      第三側壁
２３      第一側壁
２４      第二側壁
２５      天板
２６      吸込空間
２６ａ    空間
２７      孔
２８      排出口
２９      第一ノズル
３０      第二ノズル
３１      底板
３２      第一方向
３３      排出ダクト
１００    レンジフード
１１３    排出口
１１４    第一ノズル
１１６    吸込空間
【図１】
2020197189.tif 000003
【図２】
2020197189.tif 000004
【図３】
2020197189.tif 000005